(57)【要約】【課題】例えば銀行や店のカウンターやテーブルもしくはＡＴＭ等の現金自動預払機あるいは駅のきっぷ自販機等の台状物の上に載置固定して傘や杖を滑り止め係止するための傘や杖の滑り止め係止具に係り、上記のような台状物に傘や杖を安定性よく、かつ確実に滑り止め係止できるようにする【解決手段】カウンター等の台状物Ｔの縁部上面に載置固定して傘や杖を滑り止め係止する係止具１であって、略平板状の係止具本体１０の一端１０ａ側に傘３や杖の柄３１を係合して保持させる略Ｕ字状の切欠部１１を設けると共に、上記係止具本体１０の上面に上記柄３１の先端部３１ａを載置する凹部１２，１３を設けたことを特徴とする。【選択図】  図１
2010012121.tif 000002
【特許請求の範囲】
【請求項１】
カウンターやテーブル等の台状物の縁部上面に載置固定して傘や杖を滑り止め係止する係止具であって、
略平板状の係止具本体の一端側に傘や杖の柄を係合して保持させる略Ｕ字状の切欠部を設けると共に、上記係止具本体の上面に上記柄の先端部を載置する凹部を設けたことを特徴とする傘や杖の滑り止め係止具。
【請求項２】
上記凹部を、上記係止具本体上面の上記切欠部に近い位置と遠い位置の複数箇所に設けてなる請求項１に記載の傘や杖の滑り止め係止具。
【請求項３】
上記凹部の少なくとも切欠部側の縁部に段部を形成する共に、その切欠部側の段部の平面形状を該切欠部側に近い中央部が該切欠部側に湾曲する凹曲面に形成してなる請求項１または２に記載の傘や杖の滑り止め係止具。
【請求項４】
上記略平板状の係止具本体の前記一端側の互いに対向する辺の縁部に前記切欠部よりも小さい小切欠部を設けてなる請求項１〜３のいずれかに記載の傘や杖の滑り止め係止具。
【請求項５】
上記切欠部の近傍の係止具本体上面に上方に突出するピクトサインを形成してなる請求項１〜４のいずれかに記載の傘や杖の滑り止め係止具。
【請求項６】
上記係止具本体の下面に、該本体を上記台状物の縁部上面に載置固定するための接着手段またはマグネットを設けてなる請求項１〜５のいずれかに記載の傘や杖の滑り止め係止具。
【発明の詳細な説明】
【技術分野】
【０００１】
本発明は、例えば銀行や店のカウンターやテーブルもしくはＡＴＭ等の現金自動預払機あるいは駅のきっぷ自販機等の台状物の上に載置固定して傘や杖を滑り止め係止する係止具に関する。
【背景技術】
【０００２】
従来、上記のようなカウンターやテーブル等の台状物の縁部上面に載置固定して傘や杖を滑り止め係止する係止具として下記特許文献１が提案されている。当該特許文献１のものは、平板状をなす係止具本体と、その係止具本体の表面に形成され、傘や杖の屈曲した柄の先端を当てて止める突起部分と、係止具本体の裏面に設けられ、台状物に貼り付けるための接着手段とを有する構成である。
【０００３】
ところが、上記従来のものは単に平板状をなす係止具本体の上面に、傘や杖の屈曲した柄の先端を載置し、上記本体の一端側に直線状に設けた突起部分で傘や杖の先端部を滑り止め係止する構成であるから、上記係止具本体の上面に載置した柄の先端部を中心または支点して、傘や杖が大きく回動したり揺動して上記先端部が本体上面からずれ落ちたり、さらには傘や杖全体が台状物から滑り落ちてしまう等のおそれがあった。
【０００４】
【特許文献１】特開２００６−１４１５７８号公報
【発明の開示】
【発明が解決しようとする課題】
【０００５】
本発明は上記の問題点に鑑みて提案されたもので、上記のようなカウンターやテーブル等の台状物に傘や杖を安定性よく且つ確実に滑り止め係止することのできる係止具を提供することを目的とする。
【課題を解決するための手段】
【０００６】
上記の目的を達成するために本発明による傘や杖の滑り止め係止具は、以下の構成としたものである。すなわち、カウンターやテーブル等の台状物の縁部上面に載置固定して傘や杖を滑り止め係止する係止具であって、略平板状の係止具本体の一端側に傘や杖の柄を係合して保持させる略Ｕ字状の切欠部を設けると共に、上記係止具本体の上面に上記柄の先端部を載置する凹部を設けたことを特徴とする。
【０００７】
なお、上記凹部は、必要に応じて上記切欠部に近い位置と遠い位置の複数箇所に設けてもよく、また上記凹部の少なくとも切欠部側の縁部に段部を形成する共に、その切欠部側の段部の平面形状を該切欠部側に近い中央部が該切欠部側に湾曲する凹曲面に形成するのが望ましい。さらに上記略平板状の係止具本体の一端側の互いに対向する辺の縁部に前記切欠部よりも小さい小切欠部を設けてもよく、また上記切欠部の近傍の係止具本体上面に上方に突出するピクトサイン（絵文字）を形成してもよい。また上記係止具本体の下面に、予め上記本体を上記台状物の縁部上面に載置固定するための接着手段またはマグネットを設けるようにしてもよい。
【発明の効果】
【０００８】
上記のように構成された本発明による滑り止め係止具を用いてカウンター等の台状物の上面に傘や杖を係止する際には、上記係止具本体を台状物の縁部上面に接着材や磁石その他適宜の手段で載置固定し、その係止具本体の一端側に設けた略Ｕ字状の切欠部に、傘や杖の柄を係合すると共に、その傘や杖の柄の先端部を、上記係止具本体の上面に設けた凹部に載置すればよく、上記傘や杖の柄の上記切欠部および凹部との係合によって、傘や杖が大きく回動したり、揺動するのを防ぐことができる。その結果、傘や杖の先端部が上記係止具本体の上面からずれ落ちたり、傘や杖全体が台状物から滑り落ちるのを確実に防止することが可能となる。
【０００９】
上記凹部を、必要に応じて上記切欠部に近い位置と遠い位置の複数箇所に設けると傘や杖の柄の大小に拘わらず柄の先端部を凹部に載置して滑り止め係止することができる。また上記凹部の少なくとも切欠部側の縁部に段部を形成する共に、その切欠部側の段部の平面形状を該切欠部側に近い中央部が該切欠部側に湾曲する凹曲面に形成すると、上記柄の先端部が切欠部側に移動して係止具本体上面からずれ落ちるのを、より確実に防止することが可能となる。さらに上記略平板状の係止具本体の一端側の互いに対向する辺の縁部に前記切欠部よりも小さい小切欠部を設けると、例えば折りたたみ傘の紐等を引っ掛けて吊り下げ保持させることができる。
【００１０】
また上記切欠部の近傍の係止具本体上面にピクトサインを形成すると、それを見ただけで当該係止具の用途や使用方法が分かるだけでなく、文字等を無くしてシンプルですっきりしたデザインに仕上げることができる。また上記のピクトサインを係止具本体の上方に突出させて形成すると、手で触れることによってもピクトサインの内容を知ることができる。また上記係止具本体の下面に、予め上記本体を上記台状物の縁部上面に載置固定するための接着手段またはマグネットを設けると、前記台状物の上面に容易に載置固定することができる。
【発明を実施するための最良の形態】
【００１１】
以下、本発明による傘や杖の滑り止め係止具を図に示す実施形態に基づいて具体的に説明する。図１は本発明による傘や杖の滑り止め係止具の一実施形態を示すもので、（ａ）は平面図、（ｂ）は正面図、（ｃ）は左側面図、（ｄ）は（ａ）におけるｄ−ｄ断面図である。
【００１２】
本実施形態の滑り止め係止具１は、合成ゴム等よりなる平面略長方形の略平板状の係止具本体１０の一端１０ａ側に、傘や杖の柄を係合する略Ｕ字状の切欠部１１を設けると共に、上記係止具本体１０の上面に、傘や杖の柄の先端部を載置する凹部１２，１３を設けたもので、本実施形態においては上記切欠部１１に比較的近い位置と遠い位置との複数箇所、図の場合は２箇所に凹部１２，１３を設け、その両凹部１２・１３間に平面略円弧状の凸部１４を設けた構成である。
【００１３】
上記凹部１２，１３の少なくとも切欠部１１側の縁部には段部１２ａ，１３ａを形成する共に、その切欠部１１側の段部１２ａ，１３ａの平面形状を、上記切欠部１１側に近い中央部が該切欠部１１側に湾曲する凹曲面に形成するとよい。本実施形態においては、上記切欠部１１に近い位置にある凹部１２を一定幅を有する円弧状に形成して、その円弧状の凹部１２の切欠部１１側の縁部と、上記凸部１４側の縁部の両方に段部１２ａ，１２ｂを形成したものであるが、上記切欠部１１側の縁部のみに段部１２ａを形成して、突部１３側の縁部は緩やかな斜面または曲面としてもよい。なお、上記凹部１２の平面形状は、上記のような一定幅の円弧状に限らず、例えば平面円形または楕円形その他所望の平面形状に形成可能であり、少なくとも傘や杖の柄の先端部が載置可能な大きさ・形状であればよい。
【００１４】
また前記の切欠部１１からやや遠い位置にある凹部１３は、本実施形態においては、上記凸部１４よりも切欠部１１と反対側の係止具本体１０の他端１０ｂ側の上面全面が上記凹部１２よりも低く且つ上記他端１０ｂ側の上面全面がほぼ同一高さの凹部１３となるようにしたものであるが、上記他端１０ｂ側の上面の一部のみを凹部１３としてもよい。その場合にも、凹部１３の少なくとも切欠部１１側の縁部には段部を形成する共に、その切欠部１１側の段部１３ａの平面形状を、上記切欠部１１側に近い中央部が該切欠部１１側に湾曲する凹曲面に形成するのが望ましく、例えば上記凹部１３を前記凹部１２と同様に一定幅の円弧状に形成するか、あるいは平面円形または楕円形その他所望の平面形状に形成してもよい。その場合にも少なくとも傘や杖の柄の先端部が載置可能な大きさ・形状とすればよい。
【００１５】
上記切欠部１１を設けた係止具本体１０の一端１０ａ側の互いに対向する辺、すなわち図１（ａ）において切欠部１１の左右両側の辺１０ｃ・１０ｄの縁部には、上記切欠部１１よりも小さい小切欠部１５が設けられており、その小切欠部１５に折りたたみ傘の紐等を引っ掛けて吊り下げ保持させることができる。また図中、１６ａ、１６ｂは上記切欠部１１の近傍の係止具本体１の上面に形成したピクトサイン（ピクトグラム）で、本実施形態においては上記切欠部１１の左側に傘のピクトサイン１６ａと、右側に杖のピクトサイン１６ｂとを、それぞれ係止具本体１０の上面に、それよりも１ｍｍ以下の高さで上方に突出させて形成した構成である。
【００１６】
また上記係止具本体１０の下面には、該本体１０を前記の台状物の縁部上面に載置固定するための接着手段２０として、接着材層２１と、その下面を覆う離型紙２２とを設けたもので、本実施形態においては上記係止具本体１０の下面側に、下からみて略方形に接着材層２１を塗布等によって形成すると共に、その接着材層２１の下面全面を離型紙２２で覆った構成である。
【００１７】
上記のように構成された滑り止め係止具１を用いてカウンターやテーブル等の台状物の上に傘や杖を滑り止め係止するに当たっては、例えば図２に示すように、台状物Ｔの縁部上面に係止具本体１０を載置固定するもので、上記実施形態の滑り止め係止具１にあっては、係止具本体１０の下面側に設けた接着手段２０の離型紙２２を接着材層２１から剥がし、その接着材層２１により上記係止具本体１０を台状物Ｔの上に貼着すればよい。
【００１８】
なお、上記接着手段２０の接着材層２１は一度貼着すると容易に剥離できないタイプのもの、もしくは容易に剥離できて繰り返し貼着することのできるいわゆる易剥離性タイプのものでもよく、後者の場合は上記離型紙２２は場合によっては省略することもできる。また上記接着手段２０の代わりにマグネットを上記係止具本体１０内に予め内蔵しておくか、若しくはシート状もしくは平板状のマグネットを上記係止具本体１０の下面に予め接着材等で固着しておき、それらのマグネットでスチール製等の磁性体よりなる台状物Ｔの上面に係止具本体１０を載置固定するようにしてもよい。或いは上記のような接着手段２０やマグネットを予め係止具本体１０に備えることなく、例えば両面接着テープや釘またはビス等の適宜の固着手段で上記係止具本体１０を台状物Ｔの上面に載置固定するようにしてもよい。
【００１９】
上記のようにして台状物Ｔの上に係止具本体１０を載置固定する際には、図２のように係止具本体１０の一端１０ａ側に設けた切欠部１１が台状物Ｔの上面よりも外方に突出させた状態で固定するもので、その切欠部１１に傘３や杖の柄３１を係合させると共に、その柄３１の先端部３１ａを係止具本体１０の上面に形成した凹部１２，１３に載置すればよい。図の実線示の傘３は比較的柄３１が大きいので、その柄３１の先端部３１ａを切欠部１１から遠い方の凹部１３内に載置したが、図の鎖線示のような柄３２の小さい傘にあっては、その柄３２の先端部３２ａを切欠部１１から近い方の凹部１２内に載置すればよい。
【００２０】
なお、上記図２は略逆Ｕ字状に屈曲した柄のある傘に適用した例を示したが、同様に略逆Ｕ字状に屈曲した柄のある杖についても、杖の柄の部分を切欠部１１に係合させると共に、柄の先端部分を凹部１２，１３に載置することによって、上記の傘と同様に滑り止め係止することができる。また上記のような逆Ｕ字状に屈曲した柄のない折りたたみ傘や杖については、それらに通常備えられている紐等を用いて、それらを上記係止具１に吊り下げ保持させることができる。図３はその一例を示すもので、折りたたみ傘３ａを、それに備えられた紐３３を前記の小切欠部１５に引っ掛けることによって吊り下げ保持させたものである。紐等のある杖についても同様に吊り下げ保持させることができる。なお、例えば巾着や小バックなどの紐等のある小物品であって重量があまり重くないものであれば上記と同様の要領で吊り下げ保持させても何ら支障はない。
【００２１】
以上のように本発明による傘や杖の滑り止め係止具１は、係止具本体１０の一端１０ａ側に設けた略Ｕ字状の切欠部１１に、傘３や杖の柄３１を係合すると共に、その傘３や杖の柄３１の先端部３１ａを、上記係止具本体１０の上面に設けた凹部１２，１３に載置するようにしたから、前記従来例のように傘や杖が大きく回動したり、揺動することなく、簡単かつ確実に滑り止め係止することが可能となる。その結果、傘３や杖の柄３１の先端部３１ａが上記係止具本体１０の上面からずれ落ちたり、傘や杖全体が台状物Ｔから滑り落ちるのを確実に防止することができる。
【００２２】
また上記凹部１２，１３を、上記切欠部１１に近い位置と遠い位置との複数箇所、例えば上記実施形態のように２箇所に設けると傘３や杖の柄３１の大小に拘わらず柄３１の先端部３１ａを上記凹部１２，１３に載置して滑り止め係止することができる。さらに上記凹部１２，１３の少なくとも切欠部１１側の縁部に段部１２ａ，１３ａを形成する共に、その切欠部１１側の段部１２ａ，１３ａの平面形状を該切欠部１１側に近い中央部が切欠部１１側に湾曲する凹曲面に形成すると、上記柄３１の先端部３１ａが切欠部１１側に移動して係止具本体１０の上面からずれ落ちるのをより確実に防止することが可能となる。また上記略平板状の係止具本体１０の一端１０ａ側の互いに対向する辺１０ｃ，１０ｄの縁部に前記切欠部１１よりも小さい小切欠部１５を設けると、例えば折りたたみ傘３ａの紐等を引っ掛けて吊り下げ保持させることができる。
【００２３】
さらに上記切欠部１１の近傍の係止具本体１０の上面にピクトサイン１６ａ，１６ｂを形成すると、それを見ただけで当該係止具１の用途や使用方法が分かるだけでなく、文字等を無くしてシンプルですっきりしたデザインに仕上げることができる。また上記のピクトサイン１６ａ，１６ｂを係止具本体の上方に突出させて形成すると、手で触れることによってもピクトサイン１６ａ，１６ｂの内容を知ることができる。また上記係止具本体１０の下面に、予め上記本体１０を上記台状物Ｔの縁部上面に載置固定するための接着手段２０またはマグネットを設けると、それらを用いて上記本体１０を台状物Ｔの上面に容易に載置固定することができるものである。
【産業上の利用可能性】
【００２４】
以上のように本発明による傘や杖の滑り止め係止具１は、銀行や店のカウンターやテーブルもしくはＡＴＭ等の現金自動預払機あるいは駅のきっぷ自販機等の台状物Ｔの上に係止具本体１０を載置固定するだけで、傘や杖を簡単かつ確実に滑り止め係止することができるもので、傘や杖の配置に苦慮していた上記のような業務部等における不利・不便や不具合を一掃できると共に、産業上も有効に利用できるものである。
【図面の簡単な説明】
【００２５】
【図１】（ａ）は本発明による傘や杖の滑り止め係止具の一実施形態を示す平面図、（ｂ）は正面図、（ｃ）は左側面図、（ｄ）は（ａ）におけるｄ−ｄ断面図。
【図２】上記係止具を用いて傘を滑り止め係止している状態の一部縦断側面図。
【図３】上記係止具を用いて折りたたみ傘を滑り止め係止している状態の側面図。
【符号の説明】
【００２６】
１  滑り止め係止具
１０  係止具本体
１０ａ  一端
１０ｂ  他端
１０ｃ、１０ｄ  対向する辺
１１  切欠部
１２、１３  凹部
１４  凸部
１５  小切欠部
１６ａ、１６ｂ  ピクトサイン
２０  接着手段
２１  接着材層
２２  離型紙
３、３ａ  傘
３１、３２  柄
３１ａ、３２ａ  先端部
３３  紐
Ｔ  台状物
【図１】
2010012121.tif 000003
【図２】
2010012121.tif 000004
【図３】
2010012121.tif 000005